(57)【要約】【課題】  イヤホンチューブを使用せず、耳垢や汗などの物質がイヤホンの音口に入り難くい耳あな形補聴器を提供する。【解決手段】  シェル部材３の内部にイヤホン１を収納した耳あな形補聴器において、イヤホン１がイヤホンサスペンション２を介してシェル部材３に固定される。イヤホン１は、イヤホンサスペンション２に圧入され、イヤホン１を圧入したイヤホンサスペンション２は、シェル部材３に形成されたフランジ３ａ，３ｂに圧入される。また、シェル部材３の一部が、イヤホン１を固定している残りのシェル部材３に対して着脱自在に分離できるようにした。【選択図】        図９
2005252420.tif 000002
【特許請求の範囲】
【請求項１】
シェル部材の内部にイヤホンを収納した耳あな形補聴器において、前記イヤホンがイヤホンサスペンションを介して前記シェル部材に固定されることを特徴とする耳あな形補聴器。
【請求項２】
前記イヤホンは、前記イヤホンサスペンションに圧入され、前記イヤホンを圧入した前記イヤホンサスペンションは、前記シェル部材に形成されたフランジに圧入される請求項１記載の耳あな形補聴器。
【請求項３】
前記シェル部材の一部が、前記イヤホンを固定している残りのシェル部材に対して着脱自在に分離できるようにした請求項１又は２記載の耳あな形補聴器。
【発明の詳細な説明】
【技術分野】
【０００１】
本発明は、シェル部材の内部にイヤホンを収納した耳あな形補聴器に関する。
【背景技術】
【０００２】
従来、耳あな形補聴器では、イヤホンがイヤホンチューブを介してシェル部材に取り付けられている。イヤホンチューブの先端がシェル部材の音口に嵌合して接着剤により固定され、イヤホンの音口がイヤホンチューブの後端に嵌合して接着剤により固定されている。
【０００３】
また、耳垢がイヤホンの音口に入らないように、シェル部材の音口又はイヤホンチューブの先端にフィルタの役割を果たす多数の細かな孔を開けた耳垢防止チップを取り付けることも知られている（例えば、特許文献１参照）。
【０００４】
【特許文献１】特開平７−１３１８９８号公報
【発明の開示】
【発明が解決しようとする課題】
【０００５】
しかし、イヤホンがイヤホンチューブのみで支持されていることから、イヤホンがシェル部材内で動くことが可能であるため、音響特性が変化し易かった。また、耳垢や汗がイヤホンチューブを通ってイヤホンの音口に入り易く、イヤホンの故障原因にもなっていた。
また、特許文献１に記載のように、耳垢防止チップを取り付けていても、耳垢防止チップに耳垢が付着すると、音響特性の変化が著しく、更に耳垢の付着量が多くなると補聴器の故障原因になる可能性が高いという問題を有していた。
【０００６】
また、イヤホンチューブは、通常シアノアクリレート系接着剤によってシェル部材に接着されるが、シアノアクリレート系接着剤は耐水性が低く経年変化によりイヤホンチューブがシェル部材から剥離し易いという問題も有していた。
更に、外耳道が曲がっている装用者に対しては、角度付きのイヤホンチューブを用いていたが、装用者の外耳道の角度は様々なため、限られた角度付きイヤホンチューブ（例えば、４５度、６０度、９０度など）から選択しなければならず、そのためイヤホンチューブの捩れによる音響特性不良も発生し易かった。
【０００７】
本発明は、従来の技術が有するこのような問題点に鑑みてなされたものであり、その目的とするところは、イヤホンチューブを使用せず、耳垢や汗などの物質がイヤホンの音口に入り難くい耳あな形補聴器を提供しようとするものである。
【課題を解決するための手段】
【０００８】
上記課題を解決すべく請求項１に係る発明は、シェル部材の内部にイヤホンを収納した耳あな形補聴器において、前記イヤホンがイヤホンサスペンションを介して前記シェル部材に固定される。
【０００９】
請求項２に係る発明は、請求項１記載の耳あな形補聴器において、前記イヤホンは、前記イヤホンサスペンションに圧入され、前記イヤホンを圧入した前記イヤホンサスペンションは、前記シェル部材に形成されたフランジに圧入される。
【００１０】
請求項３に係る発明は、請求項１又は２記載の耳あな形補聴器において、前記シェル部材の一部が、前記イヤホンを固定している残りのシェル部材に対して着脱自在に分離できるようにした。
【発明の効果】
【００１１】
以上説明したように請求項１に係る発明によれば、イヤホンチューブを使用しないので、イヤホンチューブを通して耳垢や汗などがイヤホンに入り込むことがなくなり、イヤホン不良を防止することができる。
また、イヤホンを、イヤホンサスペンションを介してシェル部材に固定するので、イヤホンがシェル部材内で独自に動くことがなく、音響特性の変化を防止することができる。
更に、イヤホンチューブを使用しないため、部品点数の削減によりコスト及び工数が低減されると共に、イヤホンのレイアウトの自由度が増してイヤホン取り付けの作業性が向上する。
【００１２】
請求項２に係る発明によれば、接着剤を使用しないので、接着剤による組立て品質のばらつきを小さくすることができる。
【００１３】
請求項３に係る発明によれば、シェル部材の一部が、残りのシェル部材３に対して着脱自在に分離できることによって、イヤホンの音口や音響室などの清掃を容易に行うことができる。
【発明を実施するための最良の形態】
【００１４】
以下に本発明の実施の形態を添付図面に基づいて説明する。ここで、図１は本発明に係る耳あな形補聴器の概要断面図、図２〜図９は同じく第１実施例〜第８実施例の要部概略断面図である。
【００１５】
本発明に係る耳あな形補聴器の第１実施例は、図１及び図２に示すように、イヤホン１が円筒形状で弾性部材からなるイヤホンサスペンション２を介してシェル部材３に固定されている。イヤホンサスペンション２の外周面には、上下に２つの環状溝２ａ，２ｂが形成され、シェル部材３の内壁には、２つの円環状のフランジ３ａ，３ｂが形成されている。
【００１６】
そして、イヤホン１は、イヤホン１を圧入したイヤホンサスペンション２が、その環状溝２ａ，２ｂをシェル部材３のフランジ３ａ，３ｂに圧入することによりシェル部材３に固定されることになる。
【００１７】
また、イヤホン１の音口１ａとシェル部材３の音口３ｃは、対向して配置されている。音口１ａを形成するイヤホン１と、イヤホンサスペンション２と、フランジ３ａと、シェル部材３の上部内壁３ｄで、シェル部材３の音口３ｃのみで開放された音響室４を形成している。なお、５はマイクロホン、補聴処理部やバッテリィなどが収納されるアンプ室である。
【００１８】
このような第１実施例によれば、イヤホンチューブを使用しないので、イヤホンチューブを通して耳垢や汗などがイヤホン１の音口１ａに入り込むことがない。また、イヤホン１がイヤホンサスペンション２を介してシェル部材３に確実に固定されるので、イヤホン１がシェル部材３内で独自に動くことがない。
【００１９】
更に、シェル部材３の音口３ｃのみを開口部とする音響室４が形成されるので、イヤホン１の音口１ａから出る音は、漏れることなくシェル部材３の音口３ｃのみから放出される。また、シェル部材３の音口３ｃから侵入した耳垢や汗などは、音響室４に留まり、アンプ室などに侵入することはない。
【００２０】
次に、本発明に係る耳あな形補聴器の第２実施例は、図３に示すように、イヤホン１の音口１ａとシェル部材３の音口３ｃが、その中心軸をずらして配置されている点を特徴とし、その他の構成は第１実施例と同様である。
【００２１】
このような第２実施例によれば、イヤホン１の音口１ａの中心軸と、シェル部材３の音口３ｃの中心軸をずらせているので、シェル部材３の音口３ｃに侵入した耳垢や汗などが、第１実施例のように中心軸を一致させている場合に比べて、直接イヤホン１の音口１ａに入る可能性が低くなる。その他の作用・効果は第１実施例と同様である。
【００２２】
次に、本発明に係る耳あな形補聴器の第３実施例は、図４に示すように、円筒形状で弾性部材からなり、且つ空洞にしたイヤホンサスペンション６を用いる点を特徴としている。イヤホンサスペンション６の外周面には、上下にフランジ３ａ，３ｂと嵌合する環状溝６ａ，６ｂが形成されている。その他の構成は第１実施例と同様である。
【００２３】
このような第３実施例によれば、空洞にしたイヤホンサスペンション６は、空洞でないイヤホンサスペンション２と比べて、軽量化が図れると共に、シェル部材３を介してイヤホン１に加わる衝撃に対しても、より大きな緩衝作用を発揮する。その他の作用・効果は第１実施例と同様である。
【００２４】
次に、本発明に係る耳あな形補聴器の第４実施例は、図５に示すように、イヤホン１の音口１ａとシェル部材３の音口３ｃとの間に、貫通孔７ａを有する壁部７をシェル部材３の上部内壁３ｄに設けた点を特徴とし、その他の構成は第１実施例と同様である。なお、貫通孔７ａの中心軸は、イヤホン１の音口１ａ及びシェル部材３の音口３ｃと一致させても一致させなくてもよい。
【００２５】
このような第４実施例によれば、シェル部材３の音口３ｃに侵入した耳垢や汗などが、直接イヤホン１の音口１ａに入る可能性が低くなる。その他の作用・効果は第１実施例と同様である。
【００２６】
次に、本発明に係る耳あな形補聴器の第５実施例は、図６に示すように、２つに分割したイヤホンサスペンション８，９を用いる点を特徴としている。イヤホンサスペンション８，９の外周面には、夫々フランジ３ａ，３ｂと嵌合する環状溝８ａ，９ａが形成されている。その他の構成は第１実施例と同様である。
【００２７】
このような第５実施例によれば、２つに分割したイヤホンサスペンション８，９を用いることにより、一体に形成されたイヤホンサスペンション２と比べて、耳あな形補聴器の軽量化に寄与できる。その他の作用・効果は第１実施例と同様である。
【００２８】
次に、本発明に係る耳あな形補聴器の第６実施例は、図７に示すように、円筒形状で弾性部材からなり、且つ複数の空洞を有するイヤホンサスペンション１０を用いる点を特徴としている。イヤホンサスペンション１０の外周面には、上下にフランジ３ａ，３ｂと嵌合する環状溝１０ａ，１０ｂが形成されている。その他の構成は第１実施例と同様である。
【００２９】
このような第６実施例によれば、複数の空洞を有するイヤホンサスペンション１０を用いることにより、一体に形成されたイヤホンサスペンション２が有するイヤホン１に対する安定した支持機能と、空洞にしたイヤホンサスペンション６が有する軽量化機能とイヤホン１に対する大きな緩衝機能を合せ持つことができる。その他の作用・効果は第１実施例と同様である。
【００３０】
次に、本発明に係る耳あな形補聴器の第７実施例は、図８に示すように、外耳道が曲がっている装用者に対応するようシェル部材３の先端形状及び音口３ｃの位置を変えるものである。その他の構成は第１実施例と同様である。
【００３１】
このような第７実施例によれば、シェル部材３の先端形状及び音口３ｃの位置を変えることにより、あらゆる外耳道の形状に対応することができる。その他の作用・効果は第１実施例と同様である。
【００３２】
次に、本発明に係る耳あな形補聴器の第８実施例は、図９に示すように、音響室４を形成するシェル部材３の一部を残りのシェル部材３に対して着脱自在で分離できるようにしたものである。分離する個所１１は、イヤホン１の音口１ａや音響室４などの清掃がやり易い開口が得られればよく、シェル部材３の音口３ｃ又はフランジ３ａの近傍であっていい。その他の構成は第１実施例と同様である。
【００３３】
このような第８実施例によれば、シェル部材３の一部を残りのシェル部材３から取り外すことにより大きな開口が得られるので、イヤホン１の音口１ａや音響室４などの清掃を容易に行うことができる。その他の作用・効果は第１実施例と同様である。
【産業上の利用可能性】
【００３４】
本発明によれば、イヤホンチューブを使用しないので、部品点数の削減に寄与し、工数低減やコスト低減が図れるばかりではなく、イヤホンの故障率を減らし、補聴器の耐久性の向上につながる。
【図面の簡単な説明】
【００３５】
【図１】本発明に係る耳あな形補聴器の概要断面図
【図２】第１実施例の要部概略断面図
【図３】第２実施例の要部概略断面図
【図４】第３実施例の要部概略断面図
【図５】第４実施例の要部概略断面図
【図６】第５実施例の要部概略断面図
【図７】第６実施例の要部概略断面図
【図８】第７実施例の要部概略断面図
【図９】第８実施例の要部概略断面図
【符号の説明】
【００３６】
１…イヤホン、１ａ…イヤホンの音口、２，６，８，９，１０…イヤホンサスペンション、２ａ，２ｂ，６ａ，６ｂ，８ａ，９ａ，１０ａ，１０ｂ…環状溝、３…シェル部材、３ａ，３ｂ…フランジ、３ｃ…シェル部材の音口、３ｄ…上部内壁対、４…音響室。
【図１】
2005252420.tif 000003
【図２】
2005252420.tif 000004
【図３】
2005252420.tif 000005
【図４】
2005252420.tif 000006
【図５】
2005252420.tif 000007
【図６】
2005252420.tif 000008
【図７】
2005252420.tif 000009
【図８】
2005252420.tif 000010
【図９】
2005252420.tif 000011